(57)【要約】【課題】組立時の作業性が低下するのを抑制することができるコネクタ装置、及び、ワイヤハーネスの提供を提供する。【解決手段】コネクタ装置１は、弾性変形可能な雄端子３、及び雄端子３を収容する雄ハウジング４を有する雄コネクタ２と、基部７０と弾性変形可能であって雄端子３の一部が挿入される筒部７４とを有する雌端子７、及び、雌端子７を収容する雌ハウジング８を有する雌コネクタ６とを備える。雌コネクタ６は、雄ハウジング４と雌ハウジング８とが半嵌合し、雄端子３が筒部７４の内部に挿入された半嵌合状態では、雄端子３との接触によって筒部７４が弾性変形する。雌コネクタ６は、半嵌合状態から雄ハウジング４と雌ハウジング８とを完全嵌合させた完全嵌合状態では、雄端子３を筒部７４側に押圧して弾性変形させ、雄端子３と雌端子７とを電気的に接続する押圧部９３を有する。【選択図】図９
2020102423.tif 000002
【特許請求の範囲】
【請求項１】
弾性変形可能な雄端子、及び前記雄端子を収容する雄ハウジングを有する雄コネクタと、
基部と弾性変形可能であって前記雄端子の一部が挿入される筒部とを有する雌端子、及び、前記雌端子を収容する雌ハウジングを有する雌コネクタと、
を備え、
前記雌コネクタは、前記雄ハウジングと前記雌ハウジングとを完全嵌合させた完全嵌合状態では、前記雄端子を前記筒部側に押圧して弾性変形させ、前記雄端子と前記雌端子とを電気的に接続する押圧部を有することを特徴とするコネクタ装置。
【請求項２】
前記筒部は、前記雄ハウジングと前記雌ハウジングとが半嵌合し、前記雄端子が前記筒部の内部に挿入された半嵌合状態では、前記雄端子との接触によって弾性変形する請求項１に記載のコネクタ装置。
【請求項３】
前記雌コネクタは、前記雌ハウジングとは別体で形成され、前記筒部の内周面を覆う電気絶縁性のフロントホルダを有し、
前記押圧部は、前記フロントホルダに形成してある請求項１又は２に記載のコネクタ装置。
【請求項４】
前記雌ハウジングは、前記筒部の内周面を覆う電気絶縁性の触指防止部を含んで構成され、
前記押圧部は、前記触指防止部に形成してある請求項１又は２に記載のコネクタ装置。
【請求項５】
前記雌コネクタは、前記基部の先端に固定され、前記筒部の内部に挿通された電気絶縁性の絶縁ピンを有し、
前記雄端子は、筒状に形成され、
前記絶縁ピンは、前記完全嵌合状態では、前記雄端子の内部に位置し、
前記押圧部は、前記絶縁ピンの外周面に形成してある請求項１又は２に記載のコネクタ装置。
【請求項６】
前記雄端子は、前記雌端子に対する前記雄端子の挿入方向に沿って延在するスリットを有し、前記スリットによって弾性変形可能に形成してある請求項１〜５のいずれか１項に記載のコネクタ装置。
【請求項７】
導線性を有する配索材と、
前記配索材に少なくとも一方が電気的に接続される雄コネクタ及び雌コネクタを有するコネクタ装置を備え、
前記コネクタ装置は、
弾性変形可能な雄端子、及び前記雄端子を収容する雄ハウジングを有する雄コネクタと、
基部と弾性変形可能であって前記雄端子の一部が挿入される筒部とを有する雌端子、及び、前記雌端子を収容する雌ハウジングを有する雌コネクタと、
を備え、
前記雌コネクタは、前記雄ハウジングと前記雌ハウジングとが半嵌合し、前記雄端子が前記筒部の内部に挿入された半嵌合状態では、前記雄端子との接触によって前記筒部が弾性変形し、前記半嵌合状態から前記雄ハウジングと前記雌ハウジングとを完全嵌合させた完全嵌合状態では、前記雄端子を前記筒部側に押圧して弾性変形させ、前記雄端子と前記雌端子とを電気的に接続する押圧部を有することを特徴とするワイヤハーネス。
【発明の詳細な説明】
【技術分野】
【０００１】
本発明は、コネクタ装置、及び、ワイヤハーネスに関する。  
【背景技術】
【０００２】
車両に使用される従来のコネクタ装置として、例えば、特許文献１には、第１コネクタであるレセプタクルと、第２コネクタであるプラグとを備えるコネクタ装置が開示されている。レセプタクルは、雄端子であるソケットコンタクトと、ソケットコンタクトを収容する円筒状の雄ハウジングとを有している。プラグは、ソケットコンタクトと電気的に接続可能であるピンコンタクト（雌端子）と、雄ハウジングと嵌合可能であって、ピンコンタクトを収容する円筒状の雌ハウジングとを有している。
【０００３】
このコネクタ装置では、雄ハウジング及び雌ハウジングが互いに近づく挿入方向へ、レセプタクル及びプラグを移動させ、これらを相互に嵌合させてソケットコンタクトとピンコンタクトとを電気的に接合している。
【先行技術文献】
【特許文献】
【０００４】
【特許文献１】特開平０８−７８０７９号公報
【発明の概要】
【発明が解決しようとする課題】
【０００５】
ところで、自動車等の車両に使用するコネクタ装置では、近年、車両に搭載する電子機器の多機能化によって端子と相手方端子との間に流れる電流を大きくすることが望まれている。雄端子と雌端子との間に流れる電流を大きくするためには、雄端子及び雌端子のサイズをそれぞれ大きくする必要があるとともに、雄端子と雌端子との接触面積を広くする必要がある。しかし、端子どうしの接触面積を広くすると、組み付け時、雄端子と雌端子とを適正に電気的に接続された接続状態とするために必要となる力が大きくなる。そのようなコネクタ装置であっても、組み付け時の作業性が低下するのを抑えることができるコネクタ装置が望まれている。
【０００６】
本発明は、上記の事情に鑑みてなされたものであって、組立時の作業性が低下するのを抑制することができるコネクタ装置、及び、ワイヤハーネスの提供を目的とする。  
【課題を解決するための手段】
【０００７】
上記の目的を達成するため、本発明に係るコネクタ装置は、弾性変形可能な雄端子、及び前記雄端子を収容する雄ハウジングを有する雄コネクタと、基部と弾性変形可能であって前記雄端子の一部が挿入される筒部とを有する雌端子、及び、前記雌端子を収容する雌ハウジングを有する雌コネクタと、を備え、前記雌コネクタは、前記雄ハウジングと前記雌ハウジングとを完全嵌合させた完全嵌合状態では、前記雄端子を前記筒部側に押圧して弾性変形させ、前記雄端子と前記雌端子とを電気的に接続する押圧部を有することを特徴とする。
【０００８】
また、上記コネクタ装置の前記筒部は、前記雄ハウジングと前記雌ハウジングとが半嵌合し、前記雄端子が前記筒部の内部に挿入された半嵌合状態では、前記雄端子との接触によって弾性変形することが好ましい。
【０００９】
また、上記コネクタ装置の前記雌コネクタは、前記雌ハウジングとは別体で形成され、前記筒部の内周面を覆う電気絶縁性のフロントホルダを有し、前記押圧部は、前記フロントホルダに形成してあることが好ましい。
【００１０】
また、上記コネクタ装置の前記雌ハウジングは、前記筒部の内周面を覆う電気絶縁性の触指防止部を含んで構成され、前記押圧部は、前記触指防止部に形成してあることが好ましい。
【００１１】
また、上記コネクタ装置の前記雌コネクタは、前記基部の先端に固定され、前記筒部の内部に挿通された電気絶縁性の絶縁ピンを有し、前記雄端子は、筒状に形成され、前記絶縁ピンは、前記完全嵌合状態では、前記雄端子の内部に位置し、前記押圧部は、前記絶縁ピンの外周面に形成してあることが好ましい。
【００１２】
また、上記コネクタ装置では、前記雄端子は、前記雌端子に対する前記雄端子の挿入方向に沿って延在するスリットを有し、前記スリットによって弾性変形可能に形成してあることが好ましい。
【００１３】
上記の目的を達成するため、本発明に係るワイヤハーネスは、導線性を有する配索材と、前記配索材に少なくとも一方が電気的に接続される雄コネクタ及び雌コネクタを有するコネクタ装置を備え、前記コネクタ装置は、弾性変形可能な雄端子、及び前記雄端子を収容する雄ハウジングを有する雄コネクタと、基部と弾性変形可能であって前記雄端子の一部が挿入される筒部とを有する雌端子、及び、前記雌端子を収容する雌ハウジングを有する雌コネクタと、を備え、前記雌コネクタは、前記雄ハウジングと前記雌ハウジングとを完全嵌合させた完全嵌合状態では、前記雄端子を前記筒部側に押圧して弾性変形させ、前記雄端子と前記雌端子とを電気的に接続する押圧部を有することを特徴とする。
【発明の効果】
【００１４】
本発明に係るコネクタ装置、及び、ワイヤハーネスの雌コネクタは、雄ハウジングと雌ハウジングとを完全嵌合させた完全嵌合状態では、雄端子を筒部側に押圧して弾性変形させ、雄端子と雌端子とを電気的に接続する押圧部を有する。このため、コネクタ装置は、完全嵌合状態では、押圧部によって雄端子を雌端子の筒部側に押圧し弾性変形させることで、雄端子と雌端子とを適正に電気的に接続することができる。この結果、コネクタ装置は、組み付け時の作業性が低下するのを抑えることができる。
【図面の簡単な説明】
【００１５】
【図１】図１は、本発明の実施形態１に係るコネクタ装置の斜視図である。
【図２】図２は、コネクタ装置の雄コネクタの分解斜視図である。
【図３】図３は、雄コネクタの雄ハウジングの背面図である。
【図４】図４は、コネクタ装置の雌コネクタの斜視図である。
【図５】図５は、雌コネクタの分解斜視図である。
【図６】図６は、雌コネクタの筒部の斜視図である。
【図７】図７は、雌コネクタの雌ハウジングの斜視図である。
【図８】図８は、雌コネクタのフロントハウジングの斜視図である。
【図９】図９は、雄コネクタと雌コネクタとが互いに離れた状態における断面図である。
【図１０】図１０は、雄コネクタのキャップと雌コネクタの筒部とが接触した状態における断面図である。
【図１１】図１１は、雄コネクタの雄端子と雌コネクタの雌端子とが接触した状態を示す断面図である。
【図１２】図１２は、雄コネクタのキャップと雌コネクタの押圧部とが接触した状態を示す断面図である。
【図１３】図１３は、完全嵌合状態における雄コネクタ及び雌コネクタの断面図である。
【図１４】図１４は、図１１の部分拡大断面図である。
【図１５】図１５は、実施形態２の雌コネクタにおける雌ハウジングの斜視図である。
【図１６】図１６は、実施形態３の雌コネクタの一部を破断した斜視図である。
【発明を実施するための形態】
【００１６】
以下に、本発明に係る実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００１７】
［実施形態１］
図１は、本発明の実施形態１に係るコネクタ装置の斜視図である。図２は、コネクタ装置の雄コネクタの分解斜視図である。図３は、雄コネクタの雄ハウジングの背面図である。図４は、コネクタ装置の雌コネクタの斜視図である。図５は、雌コネクタの分解斜視図である。図６は、雌コネクタの筒部の斜視図である。図７は、雌コネクタの雌ハウジングの斜視図である。図８は、雌コネクタのフロントハウジングの斜視図である。図９は、雄コネクタと雌コネクタとが互いに離れた状態における断面図である。図１０は、雄コネクタのキャップと雌コネクタの筒部とが接触した状態における断面図である。図１１は、雄コネクタの雄端子と雌コネクタの雌端子とが接触した状態を示す断面図である。図１２は、雄コネクタのキャップと雌コネクタの押圧部とが接触した状態を示す断面図である。図１３は、完全嵌合状態における雄コネクタ及び雌コネクタの断面図である。図１４は、図１１の部分拡大断面図である。図１５は、実施形態２の雌コネクタにおける雌ハウジングの斜視図である。図１６は、実施形態３の雌コネクタの一部を破断した斜視図である。
【００１８】
図１〜図１６に示すように、Ｘ方向は、実施形態におけるコネクタ装置１における雄ハウジング４と雌ハウジング８との挿抜方向Ｘである。Ｙ方向は、挿抜方向Ｘに直交するコネクタ装置１の第１方向Ｙである。Ｚ方向は、挿抜方向Ｘ及び第１方向Ｙのそれぞれに直交するコネクタ装置１の第２方向Ｚである。挿抜方向Ｘは、雄ハウジング４及び雌ハウジング８の一方を他方に挿入する方向である挿入方向を含むとともに、挿入方向と反対側の方向を含む。
【００１９】
図１に示す本実施形態１に係るコネクタ装置１は、例えば、自動車等の車両に使用されるワイヤハーネスＷＨに適用される。ワイヤハーネスＷＨは、例えば、車両に搭載される各装置間の接続のために、電源供給や信号通信に用いられる複数の配索材Ｗ１，Ｗ２を束にして集合部品とし、コネクタ装置１等で配索材Ｗ１，Ｗ２を各装置に接続するようにしたものである。ワイヤハーネスＷＨは、導電性を有する配索材Ｗ１，Ｗ２と、コネクタ装置１とを含む。ワイヤハーネスＷＨは、この他、さらに、グロメット、プロテクタ、外装材、固定具、電気接続箱等を含んで構成されてもよい。配索材Ｗ１，Ｗ２は、図２に示すように、例えば、導電性の棒状部材１１，１２の外側を電気絶縁性の被覆部１３，１４によって覆った金属棒等によって構成される。配索材Ｗ１，Ｗ２の末端には、棒状部材１１，１２の先端部分を平板状に加工した接続箇所１５，１６を配置してあり、接続箇所１５，１６を被覆部１３，１４から露出させてある。なお、配索材Ｗ１，Ｗ２は、複数の導電性を有する金属素線からなる導体部（芯線）の外側を、電気絶縁性を有する被覆部によって覆った電線で構成してもよい。
【００２０】
本実施形態１のコネクタ装置１は、図１に示すように、例えば、配索材Ｗ１と電気機器１９とを電気的に接続する配索材対電気機器接続用の接続機構である。
【００２１】
コネクタ装置１は、雄コネクタ２と雌コネクタ６とを備えている。雄コネクタ２は、配索材Ｗ１，Ｗ２の端末に電気的に接続された雄端子３を有している。雌コネクタ６は、電気機器１９に電気的に接続された雌端子７を有している。コネクタ装置１は、雄コネクタ２と雌コネクタ６とが相互に嵌合されることで、雄端子３と雌端子７とが電気的に接続され、相互間に電気的な接続部位が形成される。この結果、コネクタ装置１は、配索材Ｗ１，Ｗ２と電気機器１９とを電気的に接続する。以下、各図を参照して雄コネクタ２、及び雌コネクタ６の構成について説明する。
【００２２】
まず、図１、及び図２〜図３を参照して雄コネクタ２について説明する。雄コネクタ２は、雄端子３と、雄ハウジング４と、キャップ５とを有する。なお、以下の説明では、雄コネクタ２において、挿抜方向Ｘの雌コネクタ６側を前側といい、その反対側を後側という場合がある。
【００２３】
雄端子３は、電気導電性を有する金属等によって形成され、雌端子７と電気的に接続可能である。雄端子３は、雄ハウジング４に複数設けてある。
【００２４】
雄端子３は、円筒状部分３１と平板状部分３２とを含み、これらが一体で形成される。円筒状部分３１が、雄端子３の前側に位置する一方、平板状部分３２が、雄端子３の後側に位置し、これらは、挿入方向に沿って延在するように配置してある。雄端子３の平板状部分３２は、配索材Ｗ１，Ｗ２の末端に位置する接続箇所１５，１６と電気的に接続してある。
【００２５】
円筒状部分３１は、第２方向Ｚにおける下方に位置する第１部分３３と、第２方向Ｚにおける上方に位置する第２部分３４と、それら第１部分３３と第２部分３４との間に位置するスリット３５とを有している。各円筒状部分３１は、２つのスリット３５を有している。スリット３５は、雄端子３の先端部分から後方向に向けて延在するように、円筒状部分３１に形成してあり、これらのスリット３５によって、雄端子３の円筒状部分３１は、第２方向Ｚに沿って弾性変形可能である。円筒状部分３１の内周面には、周方向へ沿って延在する嵌合溝３６を形成してある。
【００２６】
雄ハウジング４は、電気絶縁性の合成樹脂材料によって、雌コネクタ６の雌ハウジング８に挿入可能に形成されている（図１０〜図１４参照）。雄ハウジング４は、図２及び図３に示すように、雄端子収容部４１及び配索材収容部４２を含み、これらが一体で形成される。雄端子収容部４１が、雄ハウジング４の前側に位置する一方、配索材収容部４２が、雄ハウジング４の後側に位置し、側面視においてＬ字状となるようにこれらの部分を配置してある。
【００２７】
雄端子収容部４１は、略筒状の雄本体部４３と、当該雄本体部４３に形成された複数の雄キャビティ４４ａ、４４ｂと、第１嵌合凹部４５と、第２嵌合凸部４６ａ、４６ｂとを含んで構成される。雄本体部４３は、角部が曲面形状をなす略長円筒状に形成してある。各雄キャビティ４４ａ、４４ｂは、挿抜方向Ｘに沿って延在して配索材収容部４２の内部にまで続き、雄端子３を個別に挿入可能な雄端子３収容室を構成する空間部である。雄キャビティ４４ａ、４４ｂは、雄ハウジング４に設けられる雄端子３の数に応じて第１方向Ｙに沿って並べて配置してある。雄端子収容部４１の後方側の端部は、ボルト１７の頭部１７ｂを収容するための頭部収容部４８と、ボルト１７のネジ部１７ａを貫通させるための貫通穴４９とを有している。雄端子収容部４１の挿抜方向Ｘにおける前方側の端部には、雄ハウジング４の先端部分４ａが位置している。
【００２８】
第１嵌合凹部４５は、雄本体部４３の内部に配置してあって、第１方向Ｙにおいて、一方の雄キャビティ４４ａと他方の雄キャビティ４４ｂとの間に配置してある。第１嵌合凹部４５は、第１方向Ｙにおいて対向する一対の壁部４７ａ，４７ｂによって、挿抜方向Ｘの前側から後側へ延在するように形成されている。第１嵌合凹部４５は、雌ハウジング８の第１嵌合凸部８２（後述の図４参照）と嵌合する。
【００２９】
第２嵌合凸部４６ａ、４６ｂは、雄本体部４３の外周面に配置してあって、挿抜方向Ｘへ延びる平板矩形状に形成してあり、雌ハウジング８の第２嵌合凹部８５（後述の図４参照）と嵌合するものである。  
【００３０】
配索材収容部４２は、配索材の先端部を収容する部分であって、角部が曲面形状をなす略長円筒状に形成してある。
【００３１】
キャップ５は、電気絶縁性の合成樹脂材料によって弾性変形可能に形成してあり、雄コネクタ２において、雄端子３に対する触指防止部材を構成するものであるとともに、雄端子３の内部に異物が進入するのを防止するものである。キャップ５は、第１被覆部５１と、第２被覆部５２と、嵌合突部５３とを含み、これらが一体で形成される。第１被覆部５１は、鍔状に形成してあってキャップ５の前側に位置し、第２被覆部５２は、円筒状に形成してあってキャップ５の後側に位置している。
【００３２】
第１被覆部５１は、雄端子３における円筒状部分３１の先端部位を覆うものである。第１被覆部５１は、径方向の内側に位置して径方向の寸法が最も小さい被覆内側部分５１ａと、径方向の外側に位置して径方向の寸法が最も大きい被覆外側部分５１ｂを有している。第１被覆部５１は、被覆内側部分５１ａから、前方から後方へ行くに従って、径方向の寸法が徐々に大きくなるように形成してある。
【００３３】
第２被覆部５２は、雄端子３における円筒状部分３１の内周面を覆うものである。電気絶縁性のキャップ５により、雄端子３における円筒状部分３１の内部に電気導電性の異物が挿入されていたとしても、短絡が発生することを防止することができる。
【００３４】
第１被覆部５１及び第２被覆部５２には、挿抜方向Ｘにおける前側から後側へ向けて、挿抜方向Ｘへ延在するキャップスリット５４を形成してある。キャップスリット５４は、雄端子３のスリット３５に対応するように配置してあり、スリット３５とキャップスリット５４とは、第１方向Ｙ及び第２方向Ｚにおいて一致するように配置してある。
【００３５】
嵌合突部５３は、円筒状の第２被覆部５２の外周面に配置してあり、径外方向へ向けて突出するように形成してある。嵌合突部５３は、雄端子３の嵌合溝３６と嵌合するものであり、嵌合突部５３と嵌合溝３６とが嵌合した状態では、雄端子３にキャップ５が固定される。
【００３６】
次に、図１、及び図４〜図８を参照して雌コネクタ６について説明する。雌コネクタ６は、雌端子７と、雌ハウジング８と、フロントホルダ９とを有する。なお、以下の説明では、雌コネクタ６において、挿抜方向Ｘの雄コネクタ２側を前側といい、その反対側を後側という場合がある。
【００３７】
雌端子７は、電気導電性を有する金属等によって形成され、基部７０と筒部７４とを有し、雄端子３と電気的に接続可能である。雌端子７は、雌ハウジング８に複数設けてある。
【００３８】
この実施形態では、基部７０と、筒部７４とを個別に形成した雌コネクタ６を説明する。基部７０は、円柱状部７１とフランジ部７２と平板状部分７３とを含み、これらが一体で形成される。円柱状部７１が、雌端子７の前側に位置し、平板状部分７３が雌端子７の後側に位置し、フランジ部７２は、挿抜方向Ｘにおいて円柱状部７１と平板状部分７３との間に位置している。これらは、挿抜方向Ｘに沿って延在するように配置してある。雌端子７の平板状部分７３は、電気機器１９に電気的に接続してある。なお、平板状部分７３は、バスバ等の配索材に電気的に接続してもよい。
【００３９】
円柱状部７１の外周面における径方向の寸法は、円筒状の雌端子収容部８３の内周面における径方向の寸法よりも小さい。このため、円柱状部７１を雌端子収容部８３の内部に挿入することが可能である。
【００４０】
フランジ部７２の外周面における径方向の寸法は、円筒状の雌端子収容部８３の内周面における径方向の寸法よりも大きい。このため、フランジ部７２を雌端子収容部８３の内部に挿入することはできない。
【００４１】
筒部７４は、図６に示すように、挿抜方向Ｘに沿って延在する矩形板状部分７５と、複数の矩形板状部分７５を連結する連結部７６とを有し、これらを円柱状の基部７０の周方向に沿って交互に配置して円筒状に形成してある。つまり、基部７０の周方向に沿って、矩形板状部分７５と、隣接する矩形板状部分７５の間に位置する間隙７５ｓとが交互に配置されている。矩形板状部分７５は、固定延在部分７７と、前傾斜部分７８ａと、後傾斜部分７８ｂと、前端部分７９ａと、後端部分７９ｂとを有している。固定延在部分７７は、連結部７６に固定された部分であるとともに、挿抜方向Ｘに沿って直線状に延在する部分である。前傾斜部分７８ａは、固定延在部分７７の前側の端縁から、前方及び径内方向に対してそれぞれ傾斜する態様で延在する部分である。前傾斜部分７８ａを配置した部分では、後方から前方へ向けて筒部７４の径方向の寸法が徐々に小さくなる。後傾斜部分７８ｂは、固定延在部分７７の後側の端縁から、後方及び径内方向に対してそれぞれ傾斜する態様で延在する部分である。後傾斜部分７８ｂを配置した部分では、前方から後方へ向けて筒部７４の径方向の寸法が徐々に小さくなる。前端部分７９ａは、前傾斜部分７８ａの前側の端縁から、前方及び径外方向に対してそれぞれ傾斜する態様で延在する部分である。前端部分７９ａを配置した部分では、後方から前方へ向けて筒部７４の径方向の寸法が徐々に大きくなる。後端部分７９ｂは、後傾斜部分７８ｂの後側の端縁から、後方及び径外方向に対してそれぞれ傾斜する態様で延在する部分である。後端部分７９ｂを配置した部分では、前方から後方へ向けて筒部７４の径方向の寸法が徐々に大きくなる。上述のように形成された筒部７４は、周方向に沿って、矩形板状部分７５と間隙７５ｓとを交互に配置することで弾性変形可能に形成してある。１つの筒部７４は、間隙７５ｓを１４つ有している。
【００４２】
筒部７４の前端部分７９ａの径方向の大きさは、雄端子３の円筒状部分３１の径方向の大きさよりもわずかに小さい。筒部７４の後端部分７９ｂの径方向の大きさは、雌端子７の基部７０の径方向の大きさよりもわずかに小さい。
【００４３】
雌端子７を組み立てるには、基部７０の前方に筒部７４を配置する。この状態から、基部７０に対して筒部７４を前方から後方へ移動させる。上述したように、筒部７４は、径方向において弾性変形可能に形成してあり、筒部７４の後端部分７９ｂの径方向の大きさは、基部７０の径方向の大きさよりもわずかに小さい。このため、筒部７４の後端部分７９ｂが基部７０に接触すると、後端部分７９ｂ及び後傾斜部分７８ｂは、拡径し（径方向の寸法が大きくなって）、基部７０に筒部７４が固定されて雌端子７が組み立てられる。
【００４４】
雌ハウジング８は、電気絶縁性の合成樹脂材料によって形成してある。雌ハウジング８の内部には、雄コネクタ２の一部を挿入することが可能である（図１０〜図１４参照）。雌ハウジング８は、略平板矩形状のベース部分８０と、ベース部分８０の前方側に位置する前側部分８１と、ベース部分８０の後方側に位置する後側部分８６とを含み、これらを一体で形成してある。
【００４５】
ベース部分８０の四隅には、挿抜方向Ｘに沿ってそれぞれ延在し、ベース部分８０を貫通するネジ穴８０ａをそれぞれ形成してある。ネジ穴８０ａにそれぞれネジ８９を挿入し、ネジ穴８０ａとネジ８９とを螺号させることによって、電気機器１９に雌コネクタ６を取り付けることが可能である。
【００４６】
前側部分８１は、第１嵌合凸部８２と、フード部８４とを有している。第１嵌合凸部８２は、ベース部分８０における第１方向Ｙ及び第２方向Ｚの中央に位置する。フード部８４は、第１嵌合凸部８２及び２つの雌端子収容部８３の上方並びに雌端子収容部８３の両側を覆うものである。
【００４７】
第１嵌合凸部８２は、挿抜方向Ｘに沿って延在する柱状に形成してあり、雄ハウジング４の第１嵌合凹部４５と嵌合する部分である。第１嵌合凸部８２には、ボルト１７のネジ部１７ａ（図１参照）を貫通させるための貫通穴８２ａを形成してある。貫通穴８２ａは、挿抜方向Ｘに沿って延在し、後側部分８６の柱状部分８７におけるナット収容空間８７ａの内部に露出する（図１及び図７参照）。
【００４８】
フード部８４の両端には、雄ハウジング４の第２嵌合凸部４６ａ、４６ｂと嵌合する第２嵌合凹部８５を設けてある。第２嵌合凹部８５は、挿抜方向Ｘに沿って延在するように形成してある。
【００４９】
後側部分８６は、図７に示すように、挿抜方向Ｘに沿って延在する柱状部分８７を有している。柱状部分８７の後端部には、ナット１８が周方向へ旋回するのを防止しながらナット１８を収容するナット収容空間８７ａを形成してある。
【００５０】
雌ハウジング８は、前側部分８１の前端からベース部分８０を貫通し後側部分８６まで連続するハウジング凹部８０ｂを有している。前側部分８１におけるフード部８４が存在する箇所において、ハウジング凹部８０ｂは、フード部８４と、雌端子収容部８３との間に配置してある。このハウジング凹部８０ｂには、雄ハウジング４の先端部分４ａが挿入される（図１０〜図１４参照）。
【００５１】
雌ハウジング８は、前側部分８１の前端からベース部分８０を貫通し後側部分８６まで連続する雌端子収容部８３を有している。雌端子収容部８３は、ベース部分８０の前方においては、第１嵌合凸部８２の第１方向Ｙの両側のそれぞれに位置する。雌端子収容部８３は、それぞれ円筒状に形成してある。雌端子収容部８３は、それぞれ、挿抜方向Ｘに沿って延在して後側部分８６まで続いている。各雌端子収容部８３の内側には、雌キャビティ８３ａが形成されている。各雌キャビティ８３ａは、挿抜方向Ｘに沿って延在して後側部分８６の内部にまで続き、雌端子７を個別に挿入可能な雌端子収容部８３を構成する空間部である。雌キャビティ８３ａは、雌ハウジング８に設けられる雌端子７の数に応じて第１方向Ｙに沿って並べて配置してある。
【００５２】
各雌端子収容部８３の前方側の端部には、切欠８８ａと貫通穴８８ｂとを形成してある。切欠８８ａは、雌端子収容部８３を形成する壁部の前端縁から挿抜方向Ｘに沿って後方側へ延在するように形成してある。貫通穴８８ｂは、挿抜方向Ｘにおいて、切欠８８ａと間隔をあけて配置してあり、第１方向Ｙにおいて、雌端子収容部８３を形成する壁部を貫通するように形成してある。切欠８８ａ及び貫通穴８８ｂは、第１方向Ｙにおいて互いに対向するように配置してある。
【００５３】
フロントホルダ９は、電気絶縁性の合成樹脂材料によって形成してあり、雌コネクタ６において、雌端子７に対する触指防止部材を構成するものである。フロントホルダ９は、第１円筒状部９０と第２円筒状部９１と連結部９２と押圧部９３とを含み、これらを一体で形成してある。第１円筒状部９０の外周面の径方向の大きさは、雌ハウジング８の雌端子収容部８３の外周面の径方向の大きさと同一である。第１円筒状部９０の内周面の径方向の大きさは、雌ハウジング８の雌端子収容部８３の内周面の径方向の大きさよりも小さい。このため、フロントホルダ９を、雌端子収容部８３の内部に挿入することはできない。
【００５４】
第２円筒状部９１の径方向の大きさは、第１円筒状部９０の径方向の大きさよりも小さい。コネクタ装置１は、径方向の大きさを第１円筒状部９０と第２円筒状部９１とで相違させ、雌ハウジング８の前方から、コネクタ装置１の組立・分解の途中で筒部７４の内部に異物が挿入されるのを防止している。また、第２円筒状部９１は、雄端子３の円筒状部分３１の径方向の大きさよりもわずかに小さい。雄端子３の円筒状部分３１は、第１円筒状部９０と第２円筒状部９１との間に挿入することが可能である（図１０〜図１３参照）。第２円筒状部９１は、筒部７４の内周面を覆っている。第２円筒状部９１の外周面には、径外方向へ向けて突出する後述の押圧部９３を形成してある。
【００５５】
連結部９２は、第１円筒状部９０と第２円筒状部９１とを連結する部分であって、略矩形平板状に形成してあり、第２円筒状部９１の外側に一対配置してある。連結部９２における第１方向Ｙにおける両側面は、第１円筒状部９０の外周面と同一平面を形成する。
【００５６】
一対の連結部９２は、第１方向Ｙにおいて、径方向の外側から内側へ向けて凹む連結凹部９２ａを有している。連結凹部９２ａは、挿抜方向Ｘにおいて、連結部９２の中間位置に配置してある。このため、一対の連結部９２は、挿抜方向Ｘにおける前方から後方に向けて、第１円筒状部９０から連続する連続部分９２ｂと、連結凹部９２ａと、連結凹部９２ａから径外方向へ突出する爪部９２ｃとそれぞれ有している。
【００５７】
連結部９２の第１方向Ｙにおける厚さ寸法は、雌端子収容部８３の切欠８８ａの第１方向Ｙにおける寸法よりも小さく、第１円筒状部９０から連続する連続部分９２ｂを、切欠８８ａに挿入することが可能である。
【００５８】
押圧部９３は、後述する完全嵌合状態において、雄端子３を筒部７４側に押圧して弾性変形させ、雄端子３と雌端子７とを電気的に接続するものである。押圧部９３は、押圧傾斜部９３ａと押圧円筒部９３ｂとを有しており、押圧傾斜部９３ａが押圧部９３の前方側に位置し、押圧円筒部９３ｂが押圧部９３の後方側に位置するように配置してある。押圧傾斜部９３ａの外周面は、第２円筒状部９１の円筒状部分の後端縁から、後方及び径内方向に対してそれぞれ傾斜する態様で延在する（図９参照）。押圧円筒部９３ｂの外周面における径方向の大きさは、雄端子３の円筒状部の径方向の大きさよりもわずかに大きい。
【００５９】
このような雌コネクタ６を組み立てる時には、先ず、図５に示すように、雌ハウジング８の後方に２つの雌端子７を配置する。この状態から、雌ハウジング８に対して雌端子７を後方から前方へ移動させる。上述したように、円柱状部７１の径方向の寸法は、円筒状の雌端子収容部８３の径方向の寸法よりも小さく、且つ、フランジ部７２の径方向の寸法は、円筒状の雌端子収容部８３の径方向の寸法よりも大きい。このため、雌端子収容部８３の後方側の壁部の端部に、基部７０のフランジ部７２が突き当たり、雌端子７の円柱状部７１及び筒部７４が雌端子収容部８３の内部に配置される。
【００６０】
次に、雌ハウジング８の前方に２つのフロントホルダ９を配置する。この状態から、雌ハウジング８に対してフロントホルダ９を前方から後方へ移動させる。この時、雌端子収容部８３の切欠８８ａに、フロントホルダ９の爪部９２ｃ及び連続部分９２ｂが挿入される。その後、さらに、雌ハウジング８に対してフロントホルダ９を前方から後方へ移動させると、切欠８８ａの端部に、爪部９２ｃが接触する。この接触の後、さらに、雌ハウジング８に対してフロントホルダ９を前方から後方へ移動させると、フロントホルダ９が縮径するとともに、雌端子収容部８３が拡径し、フロントホルダ９の爪部分と、雌端子収容部８３の貫通穴８８ｂとが係合する。また、上述したように、第１円筒状部９０の内周面の径方向の大きさは、雌ハウジング８の雌端子収容部８３の内周面の径方向の大きさよりも小さいため、フロントホルダ９の第１円筒状部９０を、雌端子収容部８３の内部に挿入することはできない。このため、雌端子収容部８３の前方側の壁部の端部に、フロントホルダ９が突き当たり、雌端子収容部８３の前方に、フロントホルダ９の第１円筒状部９０が配置され、雌コネクタ６の組立が終了する。また、この組立状態では、筒部７４の内部に押圧部９３が配置される。
【００６１】
コネクタ装置１を組み立てる場合、図１及び図９に示すように、挿抜方向Ｘに沿って、雄コネクタ２と雌コネクタ６とを互いに離れた状態に配置する。この状態から、雄コネクタ２と雌コネクタ６とを互いに近づけ、雄ハウジング４の先端部分４ａを、フード部８４と、雌端子収容部８３の外周面との間に位置するハウジング凹部８０ｂに挿入する。
【００６２】
コネクタ装置１では、雄ハウジング４の先端部分４ａをハウジング凹部８０ｂに挿入した後、さらに、雌ハウジング８の内部に、雄ハウジング４の先端部分４ａを挿入する。すると、図１０に示すように、コネクタ装置１では、雌端子７における筒部７４の前端部分７９ａと、雄コネクタ２のキャップ５の被覆外側部分５１ｂとが接触する。図９に示すように、筒部７４の前端部分７９ａは、前傾斜部分７８ａの前側の端縁から、前方及び径外方向に対してそれぞれ傾斜する態様で延在する。また、キャップ５の第１被覆部５１は、被覆内側部分５１ａから、前方から後方へ行くに従って、径方向の寸法が徐々に大きくなるように形成してある。これらによって、図１１に示すように、前傾斜部分７８ａ及び前端部分７９ａが拡径し（筒部７４が弾性変形し）、前端部分７９ａの内部に雄端子３の第１被覆部５１が挿入され、雄ハウジング４の一部が雌ハウジング８の一部に挿入された半嵌合状態となる。
【００６３】
筒部７４の前傾斜部分７８ａは、図９に示すように、固定延在部分７７の前側の端縁から、前方及び径内方向に対してそれぞれ傾斜する態様で延在する部分である。筒部７４の前端部分７９ａは、前傾斜部分７８ａの前側の端縁から、前方及び径外方向に対してそれぞれ傾斜する態様で延在する部分である。このため、前傾斜部分７８ａの前端と、前端部分７９ａの後端との間に位置する境界部分７８ｘが、筒部７４において最も径方向の内側に位置し、図１１示すように、境界部分７８ｘが雄端子３の円筒状部分３１の外周面に接触する。
【００６４】
半嵌合状態において、さらに、雌ハウジング８の内部に、雄ハウジング４の先端部分４ａをさらに挿入する。すると、第２被覆部５２の内周面と、第２円筒状部９１の内周面とが接触しながら、挿抜方向Ｘに沿って、雌ハウジング８の内部に雄ハウジング４の先端部分４ａがさらに進入する。
【００６５】
その後、図１２に示すように、雄端子３の被覆内側部分５１ａが、雄端子３の押圧傾斜部９３ａに接触する。押圧傾斜部９３ａの外周面は、挿抜方向Ｘに沿って延在するように配置してあり、前方側から後方側へ向けて径方向の寸法が徐々に大きくなるように形成してある。よって、この状態から、例えば、図１に示すボルト１７とナット１８とを螺合させることで、さらに雌ハウジング８の内部に、雄ハウジング４の先端部分４ａを挿入する。すると、図１３に示すように、第１被覆部５１が、押圧傾斜部９３ａを乗り越えて押圧円筒部９３ｂに接触して、キャップ５及び雄端子３の円筒状部分３１が拡径する（雄端子３のキャップ５及び円筒状部分３１が第２方向Ｚに沿って弾性変形する）。それによって、円筒状部分３１の外周面が前傾斜部分７８ａを押圧し（雄端子３の円筒状部分３１が筒部７４の前傾斜部分７８ａを押圧し）、雄端子３と雌端子７とが電気的に接続された完全嵌合状態となる。
【００６６】
実施形態に係るコネクタ装置１、及び、ワイヤハーネスＷＨの雌コネクタ６は、雄ハウジング４と雌ハウジング８とを完全嵌合させた完全嵌合状態では、雌端子７を筒部７４側に押圧して弾性変形させ、雄端子３と雌端７子とを電気的に接続する押圧部９３を有する。このため、コネクタ装置１は、完全嵌合状態では、押圧部９３によって雄端子３を雌端子７の筒部７４側に押圧し弾性変形させることで、雄端子３と雌端子７とを適正に電気的に接続することができる。この結果、コネクタ装置１は、組み付け時の作業性が低下するのを抑えることができる。
【００６７】
また、コネクタ装置１の筒部７４は、雄ハウジング４と雌ハウジング８とが半嵌合し、雄端子３が筒部７４の内部に挿入された半嵌合状態では、雄端子３との接触によって弾性変形する。よって、コネクタ装置１は、コネクタ嵌合初期の半嵌合状態において、コネクタ嵌合に要する力を低減することができる。
【００６８】
加えて、コネクタ装置１の雌コネクタ６は、雌ハウジング８とは別体で形成され、筒部７４の内周面を覆う電気絶縁性のフロントホルダ９を有し、押圧部９３は、フロントホルダ９に形成してある。このため、上述した作用・効果を奏することに加え、コネクタ装置１の組立・分解の途中で電気導電性の異物が、筒部７４の内部に挿入された時でも、短絡が発生することを抑えることができる。
【００６９】
さらに、コネクタ装置１では、雄端子３は、雌端子７に対する雄端子３の挿入方向に沿って延在するスリット３５を有し、スリット３５によって弾性変形可能に形成してある。このため、構成を簡単にして、弾性変形が容易な雄端子３を容易に製造することができる。
【００７０】
また、このコネクタ装置１の半嵌合状態において、図１４に示すように、筒部７４の前傾斜部分７８ａは、固定延在部分７７の前側の端縁から、前方及び径内方向に対してそれぞれ傾斜する態様で延在する。筒部７４の前傾斜部分７８ａとキャップ５の被覆外側部分５１ｂとの接触箇所における前傾斜部分７８ａには、前傾斜部分７８ａの延在方向と直交する方向に向かう弾性復元力Ｆ１が発生する。弾性復元力Ｆ１と、挿抜方向Ｘにおける後方から前方へ向かう方向との交差角度をθ１とすると、弾性復元力Ｆ１は、雌端子７及び雄端子３おける径内方向に向かう第１分力Ｆ１ｓｉｎθ１と、前方から後方へ向かう第２分力Ｆ１ｃｏｓθ１とに分けることができる。第１分力Ｆ１ｓｉｎθ１によって筒部７４が雄端子３を径内方向へ押し、第２分力Ｆ１ｃｏｓθ１によって筒部７４が雄端子３を、雌ハウジング８の前方から後方へ向かう方向に押す。よって、半嵌合状態において、弾性復元力Ｆ１によって、雌ハウジング８と雄ハウジング４とを連結した状態に維持することができる。
【００７１】
さらに、このコネクタ装置１では、前端部分７９ａと前傾斜部分７８ａとの境界部分７８ｘを超えて、筒部７４の内部に、雄端子３の先端部分を挿入すれば、半嵌合状態を維持することができる。しかも、前端部分７９ａの挿抜方向Ｘの寸法Ｌ１よりも、前傾斜部分７８ａの挿抜方向Ｘの寸法Ｌ２を大きくしてある。よって、半嵌合状態において、雌端子７に対する雄端子３の挿抜方向Ｘに沿って移動を容易にすることができる。これにより、作業内容に応じて雄ハウジング４及び雌ハウジング８を挿抜方向Ｘへ移動させることができ、コネクタ装置１の組立時の作業性を向上することができる。
【００７２】
また、このコネクタ装置１では、図６に示すように、矩形板状部分７５間に位置する間隙７５ｓが１４つである一方、図２に示すように、雄端子３の円筒状部分３１のスリット３５が２つである。雄端子３のスリット３５の数よりも筒部７４の間隙７５ｓの数を多くすることによって、雄端子３を変形させるのに必要とされる力よりも、筒部７４を変形させるのに必要とされる力を小さくしてある。よって、小さな力で、コネクタ装置１を半嵌合状態にすることができる。
【００７３】
さらに、このコネクタ装置１では、矩形板状部分７５の径方向における厚さ寸法を、雄端子３の円筒状部分３１の径方向における厚さ寸法を小さくしてある。これによって、雄端子３を変形させるのに必要とされる力よりも、筒部７４を変形させるのに必要とされる力が小さくしてある。よって、小さな力で、コネクタ装置１を半嵌合状態にすることができる。
【００７４】
また、このコネクタ装置１では、図１４に示すように、前端部分７９ａの挿抜方向Ｘの寸法Ｌ１よりも、押圧傾斜部９３ａの挿抜方向Ｘの寸法Ｌ３を小さくしてある。また、前傾斜部分７８ａの挿抜方向Ｘの寸法Ｌ２よりも、押圧傾斜部９３ａの挿抜方向Ｘの寸法Ｌ３を小さくしてある。このコネクタ装置１の組み立て時において、雄ハウジング４又は雌ハウジング８の大部分の移動を人の手によって行う。そして、押圧傾斜部９３ａにキャップ５の第１被覆部５１が接触し、その後、キャップ５の第１被覆部５１が押圧傾斜部９３ａを乗り超えるまでの雄ハウジング４または雌ハウジング８の移動のみをボルト１７及びナット１８の締結力によって行う。第１被覆部５１が押圧傾斜部９３ａを乗り越える時には大きな力が必要となる。しかし、このコネクタ装置１によれば、大きな力を必要とする雄ハウジング４または雌ハウジング８の移動距離を短くすることができるため、組立時の作業を容易にすることができる。
【００７５】
また、このコネクタ装置１の雌ハウジング８は、筒部７４の内周面を覆う電気絶縁性の触指防止部であるフロントホルダ９を含んで構成されている。このため、筒部７４の内部に異物が進入するのを防止することができる。加えて、触指防止部のフロントホルダ９に、完全嵌合状態において、雄端子３を筒部７４側に押圧して雄端子３を弾性変形させる押圧部９３を設けてあるため、押圧部９３をフロントホルダ９と共に雌ハウジング８に取り付けることができる。
【００７６】
［実施形態２］
次に、コネクタ装置１の実施形態２を図１５を用いて説明する。なお、実施形態２において、実施形態１と同一の構成要素、部分等には同一の符号を付して説明を省略する。図示するように、実施形態２のコネクタ装置１における雌ハウジング８００は、実施形態１のフロントホルダ９と雌ハウジング８とを一体で形成してある。実施形態２のコネクタ装置１のその他の構成は、実施形態１のコネクタ装置１とほぼ同様である。
【００７７】
具体的に説明すると、雌ハウジング８００は、略平板矩形状のベース部分８０と、ベース部分８０の前方側に位置する前側部分８１と、ベース部分８０の後方側に位置する後側部分８６と、第１円筒状部９０１と第２円筒状部９１１と連結部９２１とを含み、これらを一体で形成してある。このため、実施形態２の雌ハウジング８００は、実施形態１における雌ハウジング８に対するフロントホルダ９の取り付けのための切欠８８ａ及び貫通穴８８ｂを有していない。雌端子収容部８３と第１円筒状部９０１とは、挿抜方向Ｘへ連続する。第１円筒状部９０１の外周面の径方向の大きさは、雌端子収容部８３の外周面の径方向の大きさと同一である。第１円筒状部９０１の内周面の径方向の大きさは、雌端子収容部８３の内周面の径方向の大きさよりも小さい。第２円筒状部９１１の径方向の大きさは、第１円筒状部９０１の径方向の大きさよりも小さい。コネクタ装置１は、径方向の大きさを第１円筒状部９０１と第２円筒状部９１１とで相違させ、雌ハウジング８００の前方から、コネクタ装置１の分解・組立の途中で筒部７４の内部に異物が挿入されるのを防止している。第２円筒状部９１１は、雄端子３の円筒状部分３１の径方向の大きさよりもわずかに小さい。雄端子３の円筒状部分３１は、第１円筒状部９０１と第２円筒状部９１１との間に挿入することが可能である。第２円筒状部９１１は、筒部７４の内周面を覆い、雌端子７に対する触指防止部として機能している。第２円筒状部９１１の後端部の外周面には、押圧部９３を形成してある。連結部９２１は、第１円筒状部９０１と第２円筒状部９１１とを連結する部分であって、略矩形平板状に形成してある。
【００７８】
このコネクタ装置１によれば、雌ハウジング８００を一体で形成してあるため、部品点数を減少し、コネクタ装置１の組立作業を容易にすることができる。つまり、雌ハウジング８００は、触指防止機能を有するとともに、完全嵌合状態において、雄端子３を筒部７４側に押圧して雄端子３を弾性変形させる押圧部９３を雌ハウジング８００に設けてあるため、雌ハウジング８００に、押圧部９３を有する部品を取り付ける必要がない。
【００７９】
［実施形態３］
次いで、コネクタ装置１の実施形態３を図１６を用いて説明する。なお、実施形態３において、実施形態１と同一の構成要素、部分等には同一の符号を付して説明を省略する。図示するように、雌コネクタ６は、雌端子７と、雌ハウジング８とを有するとともに、絶縁ピン１００を有している。雌端子７００の基部７０の前端には、後方から前方へ向けて突出する係合凸部６２を設けてある。係合凸部６２は、第１凸部６２ａと第２凸部６２ｂとを有し、第１凸部６２ａを前方側に配置し、第２凸部６２ｂを後方側に配置してある。第１凸部６２ａの径方向の寸法より、第２凸部６２ｂの径方向の寸法が小さい。実施形態３のコネクタ装置１のその他の構成は、実施形態１のコネクタ装置１とほぼ同様である。
【００８０】
絶縁ピン１００は、電気絶縁性の合成樹脂によって形成してあり、略円柱状の前端側部分１０１と、略円筒状の後端側部分１０２とを有している。後端側部分１０２は、雌端子７の係合凸部６２と係合する係合凹部１０３を有している。係合凹部１０３は、第１凹部１０３ａと第２凹部１０３ｂとを有し、第１凹部１０３ａを後方側に配置する一方、第２凹部１０３ｂを前方側に配置してある。第１凹部１０３ａの径方向の寸法より、第２凹部１０３ｂの径方向の寸法が大きい。絶縁ピン１００の後端側部分の外周面には、押圧部９３を形成してある。
【００８１】
このコネクタ装置１の雌コネクタ６は、基部７０の先端に固定され、筒部７４の内部に挿通された電気絶縁性の絶縁ピン１００を有し、雄端子３は、筒部７４に形成され、絶縁ピン１００は、完全嵌合状態では、雄端子３の内部に位置する。よって、筒部７４の内部には、絶縁ピン１００が位置するため、コネクタ装置１の組み立ての途中において、筒部７４の内部に異物が挿入されるのを防止することができる。加えて、異物挿入防止の絶縁ピン１００に、完全嵌合状態において、雄端子３を筒部７４側に押圧して雄端子３を弾性変形させる押圧部９３を設けてあるため、押圧部９３を絶縁ピン１００と共に雌端子７に取り付けることができる。
【００８２】
なお、上述した実施形態には、配索材Ｗ１と電気機器１９とを電気的に接続する配索材対電気機器接続用の接続機構のコネクタ装置１を説明した。しかし、この発明は、それに限られず、例えば、一方の配索材と他方の配索材とを電気的に接続する配索材対配索材接続用の接続機構のコネクタ装置１に用いてもよい。
【００８３】
また、上述した実施形態では、基部７０と、筒部７４とを別個に形成したコネクタ装置１を説明した。しかし、この発明はそれに限られず、基部７０と筒部７４とを一体に形成してもよい。
【００８４】
さらに、上述した実施形態には、矩形板状部分７５間に位置する間隙７５ｓが１４つであり、雄端子３の円筒状部分３１のスリット３５が２つであるコネクタ装置１を説明した。しかし、この発明は、それに限られず、矩形板状部分７５間に位置する間隙７５ｓの数、及び雄端子３の円筒状部分３１のスリット３５の数は、適宜変更することができる。
【符号の説明】
【００８５】
１      コネクタ装置
２      雄コネクタ
３      雄端子
３５    スリット
４      雄ハウジング
６      雌コネクタ
７      雌端子
７０    基部
７４    筒部
７００  雌端子
８      雌ハウジング
８００  雌ハウジング
９      フロントホルダ
９１    触指防止部（第２円筒状部）
９３    押圧部
１００  絶縁ピン
Ｗ１    配索材
Ｗ２    配索材
ＷＨ    ワイヤハーネス
Ｘ      挿抜方向
Ｙ      第１方向
Ｚ      第２方向
【図１】
2020102423.tif 000003
【図２】
2020102423.tif 000004
【図３】
2020102423.tif 000005
【図４】
2020102423.tif 000006
【図５】
2020102423.tif 000007
【図６】
2020102423.tif 000008
【図７】
2020102423.tif 000009
【図８】
2020102423.tif 000010
【図９】
2020102423.tif 000011
【図１０】
2020102423.tif 000012
【図１１】
2020102423.tif 000013
【図１２】
2020102423.tif 000014
【図１３】
2020102423.tif 000015
【図１４】
2020102423.tif 000016
【図１５】
2020102423.tif 000017
【図１６】
2020102423.tif 000018